Podtech/llm-jp-corpus-v4-ja_patent huggingface dataset:
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
体積内に配置された発熱コンポーネント（５０６）を取り囲むようにして前記体積を画定する１つまたは複数の側壁（１０２、３０２）と、
前記１つまたは複数の側壁の少なくとも１つの側壁の表面に隣接して一体的に形成され、前記体積の外側に配置されたシンセティック・ジェット組立体（３０４、６００）と、
を備えるコンポーネントのエンクロージャ（１００、３００）であって、
前記シンセティック・ジェット組立体は、ジェット・ポート（３０６）を備える少なくとも１つのシンセティック・ジェット・エジェクタ（５０２）を含み、前記ジェット・ポートは、前記少なくとも１つの側壁の表面（５０４）と垂直、平行および斜めのうちの少なくとも１つで位置合わせされており、前記シンセティック・ジェット組立体は、前記ポートを貫く流体のジェット（５１０）を前記表面とほぼ平行、前記表面の上へ垂直、および前記表面に向って斜めのうちの少なくとも１つに向けるように構成され、前記流体のジェットが前記体積の外部へ流れることを特徴とするコンポーネントのエンクロージャ（１００、３００）。
【請求項２】
前記シンセティック・ジェット・エジェクタ（５０２）が、複数のジェット・ポート（３０６）を備えることを特徴とする請求項１記載のエンクロージャ（１００、３００）。
【請求項３】
前記シンセティック・ジェット組立体（３０４、６００）が、単一のハウジング（３０８）中に囲まれる複数のシンセティック・ジェット・エジェクタ（６０２、６０４、６０６）を備えることを特徴とする請求項１記載のエンクロージャ（１００、３００）。
【請求項４】
前記シンセティック・ジェット組立体（３０４、６００）が、直列流体連通で共に結合される複数のシンセティック・ジェット・エジェクタ（６０２、６０４、６０６）を備えることを特徴とする請求項３記載のエンクロージャ（１００、３００）。
【請求項５】
前記シンセティック・ジェット・エジェクタ（５０２）が、流体の流れ（５１０）が発生するように振動するように構成される圧電アクチュエータ（５１４）を備えることを特徴とする請求項１記載のエンクロージャ（１００、３００）。
【請求項６】
前記複数の側壁（１０２、３０２）のうちの少なくとも１つ側壁が、拡張した表面を含み、前記ジェット・ポート（３０６）が、前記拡張した表面の表面（５０４）と垂直および斜めのうちの少なくとも１つで位置合わせされることを特徴とする請求項１記載のエンクロージャ（１００、３００）。
【請求項７】
体積を画定する複数の側壁（１０２、３０２）を備えるコンポーネントのエンクロージャ（１００、３００）と、
前記体積内に配置される発熱コンポーネント（５０６）と、
前記複数の側壁のうちの少なくとも１つの側壁の外側の表面に隣接して配置され、一体的に形成されたハウジングを備えたシンセティック・ジェット組立体（３０４、６００）と、
を備える電子式コンポーネントシステムであって、
前記シンセティック・ジェット組立体は、ジェット・ポート（３０６）を備える少なくとも１つのシンセティック・ジェット・エジェクタ（５０２）を含み、前記ジェット・ポートは、前記少なくとも１つの側壁（１０２、３０２）の表面（５０４）と垂直、平行および斜めのうちの少なくとも１つで位置合わせされており、前記シンセティック・ジェット組立体（３０４、６００）は、前記ポートを貫く流体のジェット（５１０）を前記表面とほぼ平行、前記表面の上へ垂直、および前記表面に向って斜めのうちの少なくとも１つに向けるように構成され、前記流体のジェットが前記体積の外部へ流れることを特徴とする電子式コンポーネントシステム。
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
ホトレジストパターンが形成された複数の基板を処理室内に搬入する第１の工程と、
Ｓｉ原料及び触媒と、酸化原料及び触媒とを、交互に複数回前記処理室に供給して前記複数の基板に薄膜を形成する第２の工程と、
前記複数の基板を搬出する第３の工程と、
を有し、
前記第２の工程では、前記薄膜の膜厚が、前記ホトレジストパターンの各パターンの間の距離の１／２の５％程度となるように前記薄膜を形成する半導体装置の製造方法。
【請求項２】
前記第２の工程は、前記ホトレジストパターンを形成するホトレジストの変質温度より低い処理温度で行なう請求項１に記載の半導体装置の製造方法。
【請求項３】
前記酸化原料は、分子中に互いに電気陰性度の異なる複数の原子を含む請求項１もしくは２に記載の半導体装置の製造方法。
【請求項４】
前記ホトレジストパターンの各パターンの間の距離の１／２が３０ｎｍである時、前記薄膜の膜厚が５−２５Åとなるように前記薄膜を形成する請求項１〜３のいずれかに記載の半導体装置の製造方法。
【請求項５】
第１のホトレジストパターンが形成された複数の基板を処理室内に搬入する第１の工程と、
Ｓｉ原料及び触媒と、酸化原料及び触媒とを、交互に複数回前記処理室に供給して前記複数の基板に薄膜を形成する第２の工程と、
前記複数の基板を搬出する第３の工程と、
を有し、
前記第２の工程では、前記薄膜の上であって前記第１のレジストパターンの間に第２のレジストパターンを形成可能なよう、前記薄膜の表面の相互対向する部分の最小間隔が前記第２のレジストパターンの幅より大きくなるように前記薄膜を形成する半導体装置の製造方法。
【請求項６】
前記第２の工程は、前記第１のホトレジストパターンを形成するホトレジストの変質温度より低い処理温度で行なう請求項５に記載の半導体装置の製造方法。
【請求項７】
前記酸化原料は、分子中に互いに電気陰性度の異なる複数の原子を含む請求項５もしくは６に記載の半導体装置の製造方法。
【請求項８】
前記触媒は、分解温度が前記酸化原料の気化温度より高い請求項５〜７のいずれかに記載の半導体装置の製造方法。
【請求項９】
前記薄膜は前記第２のレジストパターンを形成するレジスト溶剤の液浸防止可能な特性を有する請求項５〜８のいずれかに記載の半導体装置の製造方法。
【請求項１０】
請求項１〜９のいずれかに記載の半導体装置の製造方法で製造した半導体装置。
【請求項１１】
複数の基板を収容する処理室と、
前記処理室にＳｉ原料、酸化原料及び触媒を供給するガス供給系と、
前記処理室にホトレジストパターンが形成された複数の基板を収容した状態で、前記処理室に前記Ｓｉ原料及び前記触媒と、前記酸化原料及び前記触媒とを、交互に複数回前記処理室に供給して前記複数の基板に薄膜を形成するよう前記ガス供給系を制御する制御部と、
を有し、前記制御部は、前記薄膜の膜厚が、前記ホトレジストパターンの各パターンの間の距離の１／２の５％と程度なるように前記薄膜を形成するよう前記ガス供給系を制御する基板処理装置。
【請求項１２】
前記基板を加熱する加熱ユニットをさらに有し、
前記制御部は、前記Ｓｉ原料、前記酸化原料及び前記触媒を供給する際は、前記基板を前記ホトレジストパターンを形成するホトレジストの変質温度より低い処理温度に加熱するよう前記ガス供給系及び前記加熱ユニットを制御する請求項１１に記載の基板処理装置。
【請求項１３】
前記制御部は、さらに、前記ホトレジストパターンの各パターンの間の距離の１／２が３０ｎｍである時、前記薄膜の膜厚が５−２５Åとなるように前記薄膜を形成するよう前記ガス供給系を制御する請求項１１もしくは１２に記載の基板処理装置。
【請求項１４】
複数の基板を収容する処理室と、
前記処理室にＳｉ原料、酸化原料及び触媒を供給するガス供給系と、
前記処理室にホトレジストパターンが形成された複数の基板を収容した状態で、前記処理室に前記Ｓｉ原料及び前記触媒と、前記酸化原料及び前記触媒とを、交互に複数回前記処理室に供給して前記複数の基板に薄膜を形成するよう前記ガス供給系を制御する制御部と、
を有し、前記制御部は、前記薄膜の上であって前記第１のレジストパターンの間に第２のレジストパターンを形成可能なよう、前記薄膜の表面の相互対向する部分の最小間隔が前記第２のレジストパターンの幅より大きくなるように前記薄膜を形成するよう前記ガス供給系を制御する基板処理装置。
【請求項１５】
前記基板を加熱する加熱ユニットをさらに有し、
前記制御部は、前記Ｓｉ原料、前記酸化原料及び前記触媒を供給する際は、前記基板を前記第１のホトレジストパターンを形成するホトレジストの変質温度より低い処理温度に加熱するよう前記ガス供給系及び前記加熱ユニットを制御する請求項１４に記載の基板処理装置。
【請求項１６】
請求項１２〜１５のいずれかの基板処理装置を用いて、製造した半導体装置。
【手続補正２】
【補正対象書類名】明細書
【補正対象項目名】発明の名称
【補正方法】変更
【補正の内容】
【発明の名称】半導体装置の製造方法、基板処理装置及び半導体装置
【手続補正３】
【補正対象書類名】明細書
【補正対象項目名】０００１
【補正方法】変更
【補正の内容】
【０００１】
本発明は、半導体装置の製造方法、基板処理装置及び半導体装置に関し、例えば、ダブルパターニング法を使用した半導体装置（半導体デバイス）のパターン形成方法に関する。
【手続補正４】
【補正対象書類名】明細書
【補正対象項目名】０００５
【補正方法】変更
【補正の内容】
【０００５】
本発明の主な目的は、ダブルパターニング技術において、第２のホトレジスト形成プロセスが、第１のホトレジストに上記（１）〜（４）のような副作用を及ぼさない、パターニング精度の安定性を提供できる半導体装置の製造方法、基板処理装置及び半導体装置を提供することにある。
【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
表面を互いに向き合わせ且つ互いに間隔をおいて重ね合わされた一対のウエハを傾動可能に支持する支持部と、
前記一対のウエハが水平および垂直を含む任意の傾斜位置におかれた状態で、前記一対のウエハ間の空間に液体樹脂を流入させる流入部とを備える注入装置。
【請求項２】
前記一対のウエハの傾斜角度は、前記一対のウエハ間に注入される前記液体樹脂の粘度、前記液体樹脂の質量、及び、前記一対のウエハ間の間隔のうち少なくとも一つに基づいて調整される請求項１に記載の注入装置。
【請求項３】
前記一対のウエハの周縁を気密に封止する封止部材を備え、前記封止部材は、前記流入部と、前記空間を負圧源に連通させる排気部とを有し、前記空間が前記排気部を介して排気された状態で前記液体樹脂が前記流入部を経て前記一対のウエハ間に流入される請求項１又は２に記載の注入装置。
【請求項４】
前記封止部材は、前記流入部を含む複数の流入部を有し、該複数の流入部は、前記支持部により支持された前記一対のウエハの周縁に沿って配置されている請求項３に記載の注入装置。
【請求項５】
前記封止部材は、前記一対のウエハを収容する収容部と、前記収容部の内部を封止すべく前記収容部を覆うように配置される蓋部とを有し、前記流入部及び前記排気部は、それぞれ前記収容部と前記蓋部との間に形成された流路に連通する請求項４に記載の注入装置。
【請求項６】
前記封止部材は、前記一対のウエハの裏面を露出させる開口を有する請求項３から５までのいずれか１項に記載の注入装置。
【請求項７】
前記封止部材は、前記一対のウエハを裏面から加熱する加熱部を更に有する請求項３から６のいずれか一項に記載の注入装置。
【請求項８】
前記封止部材は、前記一対のウエハの裏面を覆うカバー部を有する請求項３から請求項７までのいずれか１項に記載の注入装置。
【請求項９】
前記カバー部は、前記一対のウエハの裏面を加熱する加熱部を含む請求項８に記載の注入装置。
【請求項１０】
前記カバー部は前記一対のウエハの裏面を気密に覆い、前記空間が減圧された場合に、前記裏面に面した空間も減圧される請求項８または請求項９に記載の注入装置。
【請求項１１】
外部から気密に遮断された状態で液体樹脂を収容する気密室と、
前記気密室を負圧源に連通させる負圧連通部と、
前記気密室を正圧源に連通させる正圧連通部と、
前記気密室に収容された液体樹脂を、前記流入部に流し出す流出部と
を有する気密容器を更に備える請求項１から１０のいずれか一項に記載の注入装置。
【請求項１２】
前記気密室は、前記一対のウエハの体積と、前記一対のウエハに挟まれた空間の体積とを合わせた体積よりも小さな容量を有する請求項１１に記載の注入装置。
【請求項１３】
前記気密容器は、前記気密室に収容した液体を加熱する加熱部を更に備える請求項１１または請求項１２に記載の注入装置。
【請求項１４】
表面を互いに向き合わせ且つ互いに間隔をおいて重ね合わされた一対のウエハを傾動させる傾動ステップと、
前記一対のウエハが水平および垂直を含む任意の傾斜位置におかれた状態で、前記一対のウエハ間の空間に液体樹脂を流入させる流入ステップとを有する注入方法。
【請求項１５】
前記傾動ステップでは、前記一対のウエハ間に注入される前記液体樹脂の粘度、前記液体樹脂の質量、及び、前記一対のウエハ間の間隔のうち少なくとも一つに基づいて前記一対のウエハの傾斜角度が調整される請求項１４に記載の注入方法。
【請求項１６】
前記流入ステップに先立ち、前記一対のウエハの間の空間を減圧する減圧ステップを更に有し、前記流入ステップでは、前記空間の減圧を開放することにより前記空間に前記液体樹脂を流入させる請求項１４または１５に記載の注入方法。
【手続補正２】
【補正対象書類名】明細書
【補正対象項目名】発明の名称
【補正方法】変更
【補正の内容】
【発明の名称】注入装置および注入方法
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
複数種類の図柄を変動表示及び停止表示することが可能な複数の図柄表示手段と、
予め定めた複数の役から内部当籤役を決定するための内部当籤役決定情報であって、第１内部当籤役決定情報、及び前記第１内部当籤役決定情報よりもリプレイが内部当籤役として決定される確率が高い第２内部当籤役決定情報を含む複数の内部当籤役決定情報が格納される内部当籤役決定情報格納手段と、
前記内部当籤役決定情報を切り換える切換手段と、
単位遊技の始動条件を満たしたことに応じて、前記切換手段によって切り換えられた内部当籤役決定情報に基づいて内部当籤役を決定する内部抽籤手段と、
複数の前記図柄表示手段のそれぞれに対応して設けられ、遊技者の停止操作を受け付ける停止操作手段と、
遊技者により前記停止操作手段が操作されることに応じて、操作された前記停止操作手段に対応する前記図柄表示手段で変動表示する図柄の停止を指令する停止指令信号を出力する停止指令手段と、
前記切換手段により切り換えられた内部当籤役決定情報と前記停止指令信号とに応じて、対応する前記図柄表示手段における図柄の変動表示を停止する停止制御手段と、
前記図柄表示手段により停止表示される図柄組合せが、入賞に係るものであるか否かの判定を行う入賞判定手段と、
前記入賞判定手段により入賞と判定された場合に、前記複数の図柄表示手段により停止表示される図柄の組合せに応じて、予め定められた量の遊技価値を遊技者に付与する遊技価値付与手段と、
前記複数の図柄表示手段によりＢＢに対応する図柄組合せが停止表示されることを条件に、遊技者にとって有利な状態の作動を行う有利状態作動手段と、
前記有利状態作動手段により有利な状態の作動が行われているときに、前記遊技価値付与手段により所定の遊技価値が付与されたことを条件に、前記有利な状態の作動を終了する有利状態終了手段と、
前記有利状態作動手段により有利な状態の作動が行われているとき、前記複数の図柄表示手段によりＲＢに対応する図柄組合せが停止表示されることを条件に、前記有利な状態よりも有利な特別な状態の作動を行う特別状態作動手段と、
前記内部抽籤手段により、前記複数の役のうち第１の役又は前記遊技価値付与手段により付与される遊技価値の量が前記第１の役よりも多い第２の役のうち何れかの役が内部当籤役として決定された場合に、前記第１の役及び前記第２の役の入賞を許可する前記停止操作手段の停止操作順序を決定する停止操作順序決定手段と、
前記単位遊技の開始が成立した回数を計数する遊技回数計数手段と、
前記内部抽籤手段により前記第１の役又は前記第２の役が内部当籤役として決定された場合に、決定された前記第１の役又は前記第２の役を報知する報知手段と、
前記報知手段により前記第１の役を報知する第１報知状態と、前記報知手段により前記第２の役を報知する第２報知状態と、を含む複数の報知状態を切り換える報知状態切換手段と、
を備え、
前記内部抽籤手段は、前記第１の役と、前記第２の役と、を同時に内部当籤役として決定し、
前記切換手段は、
前記複数の図柄表示手段によりＢＢに対応する図柄組合せが停止表示されることを条件に、前記内部当籤役決定情報を前記第１内部当籤役決定情報に切り換え、
前記有利状態作動手段により有利な状態の作動が行われているとき、前記内部抽籤手段により前記ＲＢが内部当籤役として決定した場合には、前記内部当籤役決定情報を前記第２内部当籤役決定情報に切り換え、
前記報知状態切換手段は、
前記切換手段により前記内部当籤役決定情報を前記第２内部当籤役決定情報に切り換えられたことを条件に、前記報知状態を前記第１報知状態に切り換え、
前記切換手段により前記内部当籤役決定情報を前記第２内部当籤役決定情報に切り換えられてから前記遊技回数計数手段により所定の単位遊技の回数が計数されたことを条件に、前記報知状態を前記第１報知状態から前記第２報知状態に切り換えることを特徴とする遊技機。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】０２４８
【補正方法】変更
【補正の内容】
【０２４８】
したがって、遊技者は２回という限られた入賞回数の間でより多くのメダルの払い出しを受けるためには、ＡＴ遊技状態における報知にしたがって、メダルの払出枚数が少ない「特殊スイカ１」を表示役として成立させずに、メダルの払出枚数が「特殊スイカ１」と比較して多い「特殊スイカ２」及び「特殊スイカ３」が表示役として成立するように、停止操作を行うことが必要となる。これにより、遊技者は報知に従って「特殊スイカ２」及び「特殊スイカ３」を停止表示することにより、より多くのメダルを得ることができる。
【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
複数種類の図柄を変動表示及び停止表示することが可能な複数の図柄表示手段と、
予め定めた複数の役から内部当籤役を決定するための内部当籤役決定情報であって、第１内部当籤役決定情報、及び前記第１内部当籤役決定情報よりもリプレイが内部当籤役として決定される確率が高い第２内部当籤役決定情報を含む複数の内部当籤役決定情報が格納される内部当籤役決定情報格納手段と、
前記内部当籤役決定情報を切り換える切換手段と、
単位遊技の始動条件を満たしたことに応じて、前記切換手段によって切り換えられた内部当籤役決定情報に基づいて内部当籤役を決定する内部抽籤手段と、
複数の前記図柄表示手段のそれぞれに対応して設けられ、遊技者の停止操作を受け付ける停止操作手段と、
遊技者により前記停止操作手段が操作されることに応じて、操作された前記停止操作手段に対応する前記図柄表示手段で変動表示する図柄の停止を指令する停止指令信号を出力する停止指令手段と、
前記切換手段により切り換えられた内部当籤役決定情報と前記停止指令信号とに応じて、対応する前記図柄表示手段における図柄の変動表示を停止する停止制御手段と、
前記図柄表示手段により停止表示される図柄組合せが、入賞に係るものであるか否かの判定を行う入賞判定手段と、
前記入賞判定手段により入賞と判定された場合に、前記複数の図柄表示手段により停止表示される図柄の組合せに応じて、予め定められた量の遊技価値を遊技者に付与する遊技価値付与手段と、
前記複数の図柄表示手段によりＢＢに対応する図柄組合せが停止表示されることを条件に、遊技者にとって有利な状態の作動を行う有利状態作動手段と、
前記有利状態作動手段により有利な状態の作動が行われているときに、前記遊技価値付与手段により所定の遊技価値が付与されたことを条件に、前記有利な状態の作動を終了する有利状態終了手段と、
前記有利状態作動手段により有利な状態の作動が行われているとき、前記複数の図柄表示手段によりＲＢに対応する図柄組合せが停止表示されることを条件に、前記有利な状態よりも有利な特別な状態の作動を行う特別状態作動手段と、
を備え、
前記切換手段は、
前記複数の図柄表示手段によりＢＢに対応する図柄組合せが停止表示されることを条件に、前記内部当籤役決定情報を前記第１内部当籤役決定情報に切り換え、
前記有利状態作動手段により有利な状態の作動が行われているとき、前記内部抽籤手段により前記ＲＢが内部当籤役として決定した場合には、前記内部当籤役決定情報を前記第２内部当籤役決定情報に切り換えることを特徴とする遊技機。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に、通常より遊技球が入球容易になり得る始動口が設けられた遊技機において、
前記始動口に遊技球が入球することにより、遊技者に特別遊技を実行するか否かの特別遊技判定を行う特別遊技判定手段と、
前記特別遊技判定手段により前記特別遊技判定が行われた場合、所定の第１図柄表示手段において第１変動図柄の変動表示を行ってから当該特別遊技判定の結果を示す第１判定図柄の停止表示を行う第１図柄表示制御手段と、
前記特別遊技を実行するという結果を示す第１判定図柄の停止表示が行われた後に、前記特別遊技を実行する特別遊技手段と、
特定の特別遊技が実行された場合、通常の低確率遊技状態より前記所定の利益が付与され易い高確率遊技状態にて遊技を制御する高確率遊技状態制御手段と、
前記遊技領域に設けられた始動ゲートを遊技球が通過することにより、前記始動口が通常より入球容易になる補助遊技を実行するか否かの補助遊技判定を行う補助遊技判定手段と、
前記補助遊技判定手段により前記補助遊技判定が行われた場合、所定の第２図柄表示手段において第２変動図柄の変動表示を行ってから当該補助遊技判定の結果を示す第２判定図柄の停止表示を行う第２図柄表示制御手段と、
前記補助遊技を実行するという結果を示す第２判定図柄の停止表示が行われた後に、前記補助遊技を実行する補助遊技手段と、
前記第１変動図柄の変動表示が行われているときに、当該変動表示に係る前記第１判定図柄の停止表示が行われる前、且つ、当該第１変動図柄の変動表示中に行われている第２変動図柄の変動表示に係る第２判定図柄の停止表示が行われる前に、所定の演出表示手段において、前記特定の特別遊技が実行され、その後に前記高確率遊技状態にて遊技が制御されることを示唆する高確率示唆図柄および当該第２判定図柄を示唆する補助遊技示唆図柄のうち何れかの示唆図柄を表示する示唆演出を実行可能な示唆演出手段と、を備えることを特徴とする遊技機。
【請求項２】
前記補助遊技判定において前記補助遊技を実行すると判定される確率が所定値に設定される通常遊技状態で遊技を制御する通常遊技状態制御手段と、
前記特別遊技判定手段により前記特別遊技を実行すると判定された場合、前記補助遊技判定で前記補助遊技を実行すると判定される確率が前記所定値より高く設定される特定遊技状態で遊技を制御可能な特定遊技状態制御手段と、を更に備え、
前記示唆演出手段は、前記通常遊技状態制御手段により前記通常遊技状態で遊技が制御されているときに前記示唆演出を実行可能であることを特徴とする請求項１に記載の遊技機。 
【手続補正２】
【補正対象書類名】明細書
【補正対象項目名】０００８
【補正方法】変更
【補正の内容】
【０００８】
第１の発明は、遊技球が流下可能な遊技領域に、通常より遊技球が入球容易になり得る始動口が設けられた遊技機において、前記始動口に遊技球が入球することにより、遊技者に特別遊技を実行するか否かの特別遊技判定を行う特別遊技判定手段と、前記特別遊技判定手段により前記特別遊技判定が行われた場合、所定の第１図柄表示手段において第１変動図柄の変動表示を行ってから当該特別遊技判定の結果を示す第１判定図柄の停止表示を行う第１図柄表示制御手段と、前記特別遊技を実行するという結果を示す第１判定図柄の停止表示が行われた後に、前記特別遊技を実行する特別遊技手段と、特定の特別遊技が実行された場合、通常の低確率遊技状態より前記所定の利益が付与され易い高確率遊技状態にて遊技を制御する高確率遊技状態制御手段と、前記遊技領域に設けられた始動ゲートを遊技球が通過することにより、前記始動口が通常より入球容易になる補助遊技を実行するか否かの補助遊技判定を行う補助遊技判定手段と、前記補助遊技判定手段により前記補助遊技判定が行われた場合、所定の第２図柄表示手段において第２変動図柄の変動表示を行ってから当該補助遊技判定の結果を示す第２判定図柄の停止表示を行う第２図柄表示制御手段と、前記補助遊技を実行するという結果を示す第２判定図柄の停止表示が行われた後に、前記補助遊技を実行する補助遊技手段と、前記第１変動図柄の変動表示が行われているときに、当該変動表示に係る前記第１判定図柄の停止表示が行われる前、且つ、当該第１変動図柄の変動表示中に行われている第２変動図柄の変動表示に係る第２判定図柄の停止表示が行われる前に、所定の演出表示手段において、前記特定の特別遊技が実行され、その後に前記高確率遊技状態にて遊技が制御されることを示唆する高確率示唆図柄および当該第２判定図柄を示唆する補助遊技示唆図柄のうち何れかの示唆図柄を表示する示唆演出を実行可能な示唆演出手段と、を備えることを特徴とする。
第２の発明は、前記補助遊技判定において前記補助遊技を実行すると判定される確率が所定値に設定される通常遊技状態で遊技を制御する通常遊技状態制御手段と、前記特別遊技判定手段により前記特別遊技を実行すると判定された場合、前記補助遊技判定で前記補助遊技を実行すると判定される確率が前記所定値より高く設定される特定遊技状態で遊技を制御可能な特定遊技状態制御手段と、を更に備え、前記示唆演出手段は、前記通常遊技状態制御手段により前記通常遊技状態で遊技が制御されているときに前記示唆演出を実行可能であることを特徴とする。
【手続補正３】
【補正対象書類名】明細書
【補正対象項目名】００１３
【補正方法】変更
【補正の内容】
【００１３】
第１変動図柄の変動表示が行われているときに、当該変動表示に係る第１判定図柄の停止表示が行われる前、且つ、当該第１変動図柄の変動表示中に行われている第２変動図柄の変動表示に係る第２判定図柄の停止表示が行われる前に、所定の演出表示手段において、特定の特別遊技が実行され、その後に高確率遊技状態にて遊技が制御されることを示唆する高確率示唆図柄および当該第２判定図柄を示唆する補助遊技示唆図柄のうち何れかの示唆図柄を表示する示唆演出を実行するので、演出効果の低下を抑えることができる。
【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に設けられた始動口に遊技球が入球することにより遊技者に特別遊技を実行するか否かの特別遊技判定を行う特別遊技判定手段と、
前記特別遊技判定手段により前記特別遊技判定が行われた場合、所定の第１図柄表示手段において第１変動図柄の変動表示を行ってから当該特別遊技判定の結果を示す第１判定図柄の停止表示を行う第１図柄表示制御手段と、
前記特別遊技を実行するという結果を示す第１判定図柄の停止表示が行われた後に、前記特別遊技を実行する特別遊技手段と、
前記遊技領域に設けられた始動ゲートを遊技球が通過することにより、前記始動口であって所定の通常態様と該通常態様より遊技球が入球容易な特定態様とに変化可能な可変始動口の前記特定態様を伴う補助遊技を実行するか否かの補助遊技判定を行う補助遊技判定手段と、
前記補助遊技判定手段により前記補助遊技判定が行われた場合、所定の第２図柄表示手段において第２変動図柄の変動表示を行ってから当該補助遊技判定の結果を示す第２判定図柄の停止表示を行う第２図柄表示制御手段と、
前記補助遊技を実行するという結果を示す第２判定図柄の停止表示が行われた後に、前記補助遊技を実行する補助遊技手段と、
前記第１変動図柄の変動表示が行われているときに、当該第１変動図柄の変動表示に係る前記第１判定図柄の停止表示が行われる前、且つ、当該第１変動図柄の変動表示中に行われている第２変動図柄の変動表示に係る第２判定図柄の停止表示が行われる前に、所定の演出表示手段において、当該第１判定図柄を示唆する特別遊技示唆図柄および当該第２判定図柄を示唆する補助遊技示唆図柄のうち何れかの示唆図柄を表示する示唆演出を実行可能な示唆演出手段と、を備えることを特徴とする遊技機。
【請求項２】
前記補助遊技判定において前記補助遊技を実行すると判定される確率が所定値に設定される通常遊技状態で遊技を制御する通常遊技状態制御手段と、
前記特別遊技手段による特別遊技の終了後において、前記補助遊技判定において前記補助遊技を実行すると判定される確率が前記所定値より高く設定される特定遊技状態で遊技を制御可能な特定遊技状態制御手段と、を更に備え、  前記示唆演出手段は、前記通常遊技状態制御手段により前記通常遊技状態で遊技が制御されているときに前記示唆演出を実行可能であることを特徴とする請求項１に記載の遊技機。
【手続補正２】
【補正対象書類名】明細書
【補正対象項目名】０００８
【補正方法】変更
【補正の内容】
【０００８】
第１の発明は、遊技球が流下可能な遊技領域に設けられた始動口に遊技球が入球することにより遊技者に特別遊技を実行するか否かの特別遊技判定を行う特別遊技判定手段と、前記特別遊技判定手段により前記特別遊技判定が行われた場合、所定の第１図柄表示手段において第１変動図柄の変動表示を行ってから当該特別遊技判定の結果を示す第１判定図柄の停止表示を行う第１図柄表示制御手段と、前記特別遊技を実行するという結果を示す第１判定図柄の停止表示が行われた後に、前記特別遊技を実行する特別遊技手段と、前記遊技領域に設けられた始動ゲートを遊技球が通過することにより、前記始動口であって所定の通常態様と該通常態様より遊技球が入球容易な特定態様とに変化可能な可変始動口の前記特定態様を伴う補助遊技を実行するか否かの補助遊技判定を行う補助遊技判定手段と、前記補助遊技判定手段により前記補助遊技判定が行われた場合、所定の第２図柄表示手段において第２変動図柄の変動表示を行ってから当該補助遊技判定の結果を示す第２判定図柄の停止表示を行う第２図柄表示制御手段と、前記補助遊技を実行するという結果を示す第２判定図柄の停止表示が行われた後に、前記補助遊技を実行する補助遊技手段と、前記第１変動図柄の変動表示が行われているときに、当該第１変動図柄の変動表示に係る前記第１判定図柄の停止表示が行われる前、且つ、当該第１変動図柄の変動表示中に行われている第２変動図柄の変動表示に係る第２判定図柄の停止表示が行われる前に、所定の演出表示手段において、当該第１判定図柄を示唆する特別遊技示唆図柄および当該第２判定図柄を示唆する補助遊技示唆図柄のうち何れかの示唆図柄を表示する示唆演出を実行可能な示唆演出手段と、を備えることを特徴とする。
第２の発明は、前記補助遊技判定において前記補助遊技を実行すると判定される確率が所定値に設定される通常遊技状態で遊技を制御する通常遊技状態制御手段と、前記特別遊技手段による特別遊技の終了後において、前記補助遊技判定において前記補助遊技を実行すると判定される確率が前記所定値より高く設定される特定遊技状態で遊技を制御可能な特定遊技状態制御手段と、を更に備え、前記示唆演出手段は、前記通常遊技状態制御手段により前記通常遊技状態で遊技が制御されているときに前記示唆演出を実行可能であることを特徴とする。
【手続補正３】
【補正対象書類名】明細書
【補正対象項目名】００１３
【補正方法】変更
【補正の内容】
【００１３】
第１変動図柄の変動表示が行われているときに、当該第１変動図柄の変動表示に係る第１判定図柄の停止表示が行われる前、且つ、当該第１変動図柄の変動表示中に行われている第２変動図柄の変動表示に係る第２判定図柄の停止表示が行われる前に、所定の演出表示手段において、当該第１判定図柄を示唆する特別遊技示唆図柄および当該第２判定図柄を示唆する補助遊技示唆図柄のうち何れかの示唆図柄を表示する示唆演出を実行するので、遊技の単調化を抑えることができる。
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
ステーション（ＳＴＡ）内の高スループット（ＨＴ）オペレーションに関する方法であって、
隣接レポート要求フレームをアクセスポイント（ＡＰ）へ送信するステップと、
前記アクセスポイント（ＡＰ）から隣接レポートフレームを受信するステップと
を具え、前記隣接レポートフレームは、少なくとも１つの隣接アクセスポイント（ＡＰ）の高スループット（ＨＴ）能力を示す高スループット（ＨＴ）能力要素を含み、
少なくとも１つの隣接アクセスポイント（ＡＰ）から時空ブロックコード（ＳＴＢＣ）ビーコンを受信するステップと、
前記少なくとも１つの隣接アクセスポイント（ＡＰ）に関連付けるステップと
を具えたことを特徴とする方法。
【請求項２】
前記時空ブロックコード（ＳＴＢＣ）ビーコンは、前記少なくとも１つの隣接アクセスポイント（ＡＰ）の拡張範囲となるために使用されることを特徴とする請求項１記載の方法。
【請求項３】
前記隣接レポートフレーム内の高スループット（ＨＴ）能力要素は、少なくとも１つの隣接アクセスポイント（ＡＰ）の能力、機能、又はパラメータを含むことを特徴とする請求項１記載の方法。
【請求項４】
前記高スループット（ＨＴ）能力要素が、複数のメディアアクセス制御（ＭＡＣ）プロトコロルデータユニット（ＭＰＤＵ）の１つの物理サービスデータユニット（ＰＳＤＵ）への集約を可能にするフレーム集約フォーマット、又は、複数のメディアアクセス制御（ＭＡＣ）サービスデータユニット（ＭＳＤＵ）の１つのＭＡＣプロトコロルデータ単位（ＭＰＤＵ）への集約を可能にするフレーム集約フォーマットを示すことを特徴とする請求項１記載の方法。
【請求項５】
前記高スループット（ＨＴ）能力要素が、ブロック肯定応答機構、Ｎイミディエイトブロック肯定応答、ブロック肯定応答（ＢＡ）またはＢＡ要求（ＢＡＲ）に関する否定応答を含むＮ遅延ＢＡ、圧縮ビットマップブロック肯定応答、又は、複数のトラフィック識別子（ＴＩＤ）ブロック肯定応答を示すことを特徴とする請求項１記載の方法。
【請求項６】
前記高スループット（ＨＴ）能力要素が、物理サービスデータユニット（ＰＳＤＵ）として集約されたメディアアクセス制御（ＭＡＣ）プロトコロルデータ単位（ＭＰＤＵ）の通常肯定応答をアサートすることによる暗黙的ブロック肯定応答要求を示すことを特徴とする請求項１記載の方法。
【請求項７】
前記高スループット（ＨＴ）能力要素が、長ネットワーク割振りベクトル（ＮＡＶ）解放のためのコンテンションフリー（ＣＦ）エンドでのＮＡＶ確保を示すことを特徴とする請求項１記載の方法。
【請求項８】
前記高スループット（ＨＴ）能力要素が、物理層レベルスプーフィングを示すことを特徴とする請求項１記載の方法。
【請求項９】
前記高スループット（ＨＴ）能力要素が、多重入力多重出力（ＭＩＭＯ）省電力を示すことを特徴とする請求項１記載の方法。
【請求項１０】
前記高スループット（ＨＴ）能力要素が、２０ＭＨｚチャネルと４０ＭＨｚチャネルの共存を管理するための機構を示すことを特徴とする請求項１記載の方法。
【請求項１１】
前記高スループット（ＨＴ）能力要素が、チャネル管理方法およびチャネル選択方法を示すことを特徴とする請求項１記載の方法。
【請求項１２】
前記高スループット（ＨＴ）能力要素が、短縮フレーム間間隔（ＲＩＦＳ）保護、グリーンフィールド保護、又は、非高スループット（ＨＴ）信号フィールド（Ｌ−ＳＩＧ）伝送機会保護を示すことを特徴とする請求項１記載の方法。
【請求項１３】
前記高スループット（ＨＴ）能力要素が、省電力マルチポール（ＰＳＭＰ）を示すことを特徴とする請求項１記載の方法。
【請求項１４】
前記高スループット（ＨＴ）能力要素が、時空ブロックコーディング（ＳＴＢＣ）制御フレームを示すことを特徴とする請求項１記載の方法。
【請求項１５】
前記高スループット（ＨＴ）能力要素が、制御および観測ポイント（ＰＣＯ）能力、送信ビーム形成能力、アンテナ選択能力、又は、較正サポートを示すことを特徴とする請求項１記載の方法。
【請求項１６】
前記高スループット（ＨＴ）能力要素が、高速リンク適合を示すことを特徴とする請求項１記載の方法。
【請求項１７】
前記高スループット（ＨＴ）能力要素が、暗黙的フィードバック、又は、チャネル状態情報（ＣＳＩ）フィードバックを示すことを特徴とする請求項１記載の方法。
【請求項１８】
前記高スループット（ＨＴ）能力要素が、ゼロ長フレームのサウンディングフレームとしての使用を示すことを特徴とする請求項１記載の方法。
【請求項１９】
前記高スループット（ＨＴ）能力要素が、ＩＥＥＥ８０２．１１ｎサービスの可用性、ブロック肯定応答（ＡＣＫ）資源の可用性およびブロックＡＣＫ合意の事前セットアップ、集約メディアアクセス制御プロトコロルデータ単位（Ａ−ＭＰＤＵ）集約パラメータのセットアップ、省電力マルチポール（ＰＳＭＰ）サービスの可用性、自動省電力送達（ＡＰＳＤ）サービスおよびパラメータの可用性、拡張範囲サービスの可用性、ならびに一定のデータ転送速度の可用性のうちの少なくとも１つを含むことを特徴とする請求項１記載の方法。
【請求項２０】
測定レポートフレームを送信することをさらに具えたことを特徴とする請求項１記載の方法。
【請求項２１】
前記測定レポートフレームは、第２高スループット（ＨＴ）能力要素を含むことを特徴とする請求項２０記載の方法。
【請求項２２】
前記第２高スループット（ＨＴ）能力要素高が、ステーション（ＳＴＡ）の能力、機能、およびパラメータのうちの少なくとも１つを含むことを特徴とする請求項２１記載の方法。
【請求項２３】
高スループット（ＨＴ）ステーション（ＳＴＡ）であって、
隣接レポート要求フレームをアクセスポイント（ＡＰ）へ送信するように構成された送信機と、
受信機と、
該受信機は、
隣接レポートフレームを受信し、
ここで、前記隣接レポートフレームは、少なくとも１つの隣接アクセスポイント（ＡＰ）の高スループット（ＨＴ）能力を示す高スループット（ＨＴ）能力要素を含み、
少なくとも１つの隣接アクセスポイント（ＡＰ）から時空ブロックコード（ＳＴＢＣ）ビーコンを受信するように構成され、
前記少なくとも１つの隣接アクセスポイント（ＡＰ）に関連付けるように構成されたプロセッサと
を具えたことを特徴とする高スループット（ＨＴ）ステーション（ＳＴＡ）。
【請求項２４】
前記プロセッサは、
前記時空ブロックコード（ＳＴＢＣ）ビーコンに基づいて、前記少なくとも１つの隣接アクセスポイント（ＡＰ）の拡張範囲になることを可能にするようにさらに構成されたことを特徴とする請求項２３記載の高スループット（ＨＴ）ステーション（ＳＴＡ）。
【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
符号化ストリームより、復号対象ブロックに対する複数の動きベクトルを復号する復号部と、
複数の動きベクトルを用いて、参照画像から前記復号対象ブロックに対応した複数の予測ブロックを生成し、複数の予測ブロックに基づいて境界を決定し、前記各予測ブロックを前記境界で分割して得た領域を前記各予測ブロック間で結合させることにより、合成予測ブロックを生成する動き補償部と、
前記合成予測ブロックと、前記復号対象ブロックから復号した予測差分ブロックとを加算することにより、復号画像を生成する加算部とを備えることを特徴とする動画像復号装置。
【請求項２】
前記動き補償部は、前記各予測ブロックを前記境界で分割して得られる領域が非対称になるように前記境界を決定することを特徴とする請求項１に記載の動画像復号装置。
【請求項３】
前記動き補償部は、複数の予測ブロックのアクティビティに基づいて境界を決定することを特徴とする請求項１または２に記載の動画像復号装置。
【請求項４】
前記動き補償部は、複数の予測ブロックの各隣接画素間のアクティビティに基づいて境界候補に対応する評価値を算出し、前記評価値を用いて境界候補の中から境界を決定することを特徴とする請求項３に記載の動画像復号装置。
【請求項５】
符号化ストリームより、復号対象ブロックに対する複数の動きベクトルを復号するステップと、
複数の動きベクトルを用いて、参照画像から前記復号対象ブロックに対応した複数の予測ブロックを生成し、複数の予測ブロックに基づいて境界を決定し、前記各予測ブロックを前記境界で分割して得た領域を前記各予測ブロック間で結合させることにより、合成予測ブロックを生成するステップと、
前記合成予測ブロックと、前記復号対象ブロックから復号した予測差分ブロックとを加算することにより、復号画像を生成するステップとを備えることを特徴とする動画像復号方法。
【請求項６】
合成予測ブロックを生成するステップは、前記各予測ブロックを前記境界で分割して得られる領域が非対称になるように前記境界を決定することを特徴とする請求項５に記載の動画像復号方法。
【請求項７】
符号化ストリームより、復号対象ブロックに対する複数の動きベクトルを復号する機能と、
複数の動きベクトルを用いて、参照画像から前記復号対象ブロックに対応した複数の予測ブロックを生成し、複数の予測ブロックに基づいて境界を決定し、前記各予測ブロックを前記境界で分割して得た領域を前記各予測ブロック間で結合させることにより、合成予測ブロックを生成する機能と、
前記合成予測ブロックと、前記復号対象ブロックから復号した予測差分ブロックとを加算することにより、復号画像を生成する機能とをコンピュータに実現させることを特徴とする動画像復号プログラム。
【請求項８】
合成予測ブロックを生成する機能は、前記各予測ブロックを前記境界で分割して得られる領域が非対称になるように前記境界を決定することを特徴とする請求項７に記載の動画像復号プログラム。
【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
符号化対象ブロックを所定の仮境界で複数の仮領域に分割する仮領域分割部と、
各仮領域に対して動きベクトルを検出する動きベクトル検出部と、
各仮領域の動きベクトルを用いて、参照画像から前記符号化対象ブロックに対応した複数の予測ブロックを生成し、複数の予測ブロックに基づいて本境界を決定し、前記各予測ブロックを前記本境界で分割して得た領域を前記各予測ブロック間で結合させることにより、合成予測ブロックを生成する動き補償部と、
前記合成予測ブロックを前記符号化対象ブロックより減算した予測差分ブロックと、各仮領域の動きベクトルとを符号化する符号化部とを備えることを特徴とする動画像符号化装置。
【請求項２】
前記動き補償部は、前記各予測ブロックを前記本境界で分割して得られる領域が非対称になるように前記本境界を決定することを特徴とする請求項１に記載の動画像符号化装置。
【請求項３】
前記動き補償部は、複数の予測ブロックのアクティビティに基づいて本境界を決定することを特徴とする請求項１または２に記載の動画像符号化装置。
【請求項４】
前記動き補償部は、複数の予測ブロックの各隣接画素間のアクティビティに基づいて本境界候補に対応する評価値を算出し、前記評価値を用いて本境界候補の中から本境界を決定することを特徴とする請求項３に記載の動画像符号化装置。
【請求項５】
符号化対象ブロックを所定の仮境界で複数の仮領域に分割するステップと、
各仮領域に対して動きベクトルを検出するステップと、
各仮領域の動きベクトルを用いて、参照画像から前記符号化対象ブロックに対応した複数の予測ブロックを生成し、複数の予測ブロックに基づいて本境界を決定し、前記各予測ブロックを前記本境界で分割して得た領域を前記各予測ブロック間で結合させることにより、合成予測ブロックを生成するステップと、
前記合成予測ブロックを前記符号化対象ブロックより減算した予測差分ブロックと、各仮領域の動きベクトルとを符号化するステップとを備えることを特徴とする動画像符号化方法。
【請求項６】
合成予測ブロックを生成するステップは、前記各予測ブロックを前記本境界で分割して得られる領域が非対称になるように前記本境界を決定することを特徴とする請求項５に記載の動画像符号化方法。
【請求項７】
符号化対象ブロックを所定の仮境界で複数の仮領域に分割する機能と、
各仮領域に対して動きベクトルを検出する機能と、
各仮領域の動きベクトルを用いて、参照画像から前記符号化対象ブロックに対応した複数の予測ブロックを生成し、複数の予測ブロックに基づいて本境界を決定し、前記各予測ブロックを前記本境界で分割して得た領域を前記各予測ブロック間で結合させることにより、合成予測ブロックを生成する機能と、
前記合成予測ブロックを前記符号化対象ブロックより減算した予測差分ブロックと、各仮領域の動きベクトルとを符号化する機能とをコンピュータに実現させることを特徴とする動画像符号化プログラム。
【請求項８】
合成予測ブロックを生成する機能は、前記各予測ブロックを前記本境界で分割して得られる領域が非対称になるように前記本境界を決定することを特徴とする請求項７に記載の動画像符号化プログラム。
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）であって、
Ｎビットフィールド及び制御情報を含む、制御チャンネルの第１の無線信号であって、該Ｎビットフィールドが、２を法としてＮビットの巡回冗長チェック（ＣＲＣ）に加算されたＮビットのＵＥ識別を含んでいる第１の無線信号を受信するように構成された回路、ここで、該ＮビットＣＲＣは前記制御チャンネルから導出される、
少なくとも第１の基準及び第２の基準を含んでいる複数の基準が満たされているかを判定するように構成された回路であって、該第１の基準が、前記巡回冗長チェック（ＣＲＣ）に誤りがないこと、及び、該第２の基準が、前記ＵＥ識別が本ユーザ装置に関連する複数のＵＥ識別のいずれか１つであることを含む回路、並びに、
少なくとも前記第１及び第２の基準が満たされている状態で、前記制御情報を使用してダウンリンク共有チャンネルを処理するように構成された回路
を備えたことを特徴とするユーザ装置。
【請求項２】
請求項１に記載のユーザ装置において、さらに、複数の制御チャンネルをモニターするように構成された回路を備えたことを特徴とするユーザ装置。
【請求項３】
請求項１に記載のユーザ装置において、前記複数のＵＥ識別の少なくとも１つが本ユーザ装置に一意的であることを特徴とするユーザ装置。
【請求項４】
請求項１に記載のユーザ装置において、前記複数のＵＥ識別の少なくとも１つが本ユーザ装置に割り当てられた識別であることを特徴とするユーザ装置。
【請求項５】
請求項４に記載のユーザ装置において、前記割り当てられた識別は無線ネットワーク内で動作するＵＥのサブセットの範囲内で一意的であることを特徴とするユーザ装置。
【請求項６】
請求項１に記載のユーザ装置において、前記複数のＵＥ識別の少なくとも１つが、無線ネットワーク内で動作する、複数のＵＥのサブセットに属しているユーザ装置のグループを識別することを特徴とするユーザ装置。
【請求項７】
請求項１に記載のユーザ装置において、前記複数のＵＥ識別の少なくとも１つが、無線ネットワーク内で動作するＵＥのサブセットを識別することを特徴とするユーザ装置。
【請求項８】
請求項７に記載のユーザ装置において、前記ＵＥのサブセットが、無線ネットワーク内で動作する、複数のＵＥのサブセットの一つであることを特徴とするユーザ装置。
【請求項９】
ユーザ装置（ＵＥ）により実施される方法であって、
Ｎビットフィールド及び制御情報を含む、制御チャンネルの第１の無線信号であって、該Ｎビットフィールドが、２を法としてＮビットの巡回冗長チェック（ＣＲＣ）に加算されたＮビットのＵＥ識別を含んでいる第１の無線信号を受信する受信ステップ、ここで、該ＮビットＣＲＣは前記制御チャンネルから導出される、
少なくとも第１の基準及び第２の基準を含んでいる複数の基準が満たされているかを判定する判定ステップであって、該第１の基準が、前記巡回冗長チェック（ＣＲＣ）に誤りがないこと、及び、該第２の基準が、前記ＵＥ識別が前記ユーザ装置に関連する複数のＵＥ識別のいずれか１つであることを含む判定ステップ、並びに、
少なくとも前記第１及び第２の基準が満たされている状態で、前記制御情報を使用してダウンリンク共有チャンネルを処理する処理ステップ
を含むことを特徴とする方法。
【請求項１０】
請求項９に記載の方法において、さらに、複数の制御チャンネルをモニターすることを含むことを特徴とする方法。
【請求項１１】
請求項１０に記載の方法において、前記複数のＵＥ識別の少なくとも１つが前記ユーザ装置に一意的であることを特徴とする方法。
【請求項１２】
請求項９に記載の方法において、前記複数のＵＥ識別の少なくとも１つが前記ユーザ装置に割り当てられた識別であることを特徴とする方法。
【請求項１３】
請求項１２に記載の方法において、前記割り当てられた識別は無線ネットワーク内で動作するＵＥのサブセットの範囲内で一意的であることを特徴とする方法。
【請求項１４】
請求項９に記載の方法において、前記複数のＵＥ識別の少なくとも１つが、無線ネットワーク内で動作する、複数のＵＥのサブセットに属しているユーザ装置のグループを識別することを特徴とする方法。
【請求項１５】
請求項９に記載の方法において、前記複数のＵＥ識別の少なくとも１つが、無線ネットワーク内で動作するＵＥのサブセットを識別することを特徴とする方法。
【請求項１６】
請求項１５に記載の方法において、前記ＵＥのサブセットが、無線ネットワーク内で動作する、複数のＵＥのサブセットの一つであることを特徴とする方法。
【手続補正書】
【提出日】平成24年6月27日(2012.6.27)
【手続補正１】
【補正対象書類名】特許請求の範囲
【補正対象項目名】全文
【補正方法】変更
【補正の内容】
【特許請求の範囲】
【請求項１】
始動領域を遊技媒体が通過した後、可変表示の開始を許容する開始条件が成立したことにもとづいて各々を識別可能な複数種類の識別情報の可変表示を開始し、表示結果を導出表示する可変表示部を備え、該可変表示部に特定表示結果が導出表示されたときに遊技者にとって有利な特定遊技状態に制御するとともに、通常遊技状態であるときに比べて識別情報の可変表示の表示結果が前記特定表示結果となる確率が向上した高確率状態に制御可能な遊技機であって、
制御を行う際に発生する変動データとして、少なくとも前記高確率状態に制御されていることを示す高確率状態中情報を含むデータを記憶する変動データ記憶手段と、
遊技機への電力供給が停止していても前記変動データ記憶手段の記憶内容を所定期間保持させることが可能な記憶内容保持手段と、
前記特定遊技状態とするか否かと、該特定遊技状態として、所定の遊技価値を付与する第１特定遊技状態、または該第１特定遊技状態よりも低い遊技価値を付与する第２特定遊技状態を含む複数種類の前記特定遊技状態のいずれとするかとを、表示結果の導出表示以前に決定する事前決定手段と、
前記事前決定手段の決定結果にもとづいて、前記高確率状態に制御する高確率状態制御手段と、
前記事前決定手段の決定結果にもとづいて、前記始動領域を遊技媒体が通過しやすい状態となる頻度を高めた高頻度状態に制御する高頻度状態制御手段と、
電力供給が開始されたときに、前記変動データ記憶手段に前記高確率状態中情報が記憶されていることにもとづいて、前記高確率状態に制御されていることを示す高確率状態中信号を、遊技機の外部に出力する高確率状態中信号外部出力手段と、
前記高確率状態であるか否かを認識困難な共通演出を実行する共通演出実行手段と、を備え、
前記高確率状態中信号外部出力手段は、電力供給が開始されてから所定条件が成立するまで前記高確率状態中信号の出力を継続し、前記所定条件が成立すると前記高確率状態中信号の出力を禁止し、
前記高確率状態制御手段は、前記事前決定手段によって前記第２特定遊技状態とすると決定されたことにもとづいて、前記高確率状態に制御し、
前記共通演出実行手段は、前記高頻度状態に制御されていないときに、前記共通演出を実行可能であり、
前記高頻度状態制御手段は、前記高確率状態に制御されているとともに前記高頻度状態に制御されていないときに、前記事前決定手段によって前記第２特定遊技状態とすると決定されたことにもとづいて、高い割合で前記高頻度状態に制御する
ことを特徴とする遊技機。